(57)【要約】【課題】ハンドルの戻し忘れなどを防止することができる切替開閉器を提供する。【解決手段】ハンドル１１を回転させることによって常時モードから非常時モードに切り替えられる切替開閉器１０であって、ハンドル１１の前面の中央部に設けられた表示ランプ１５と、表示ランプ１５を点灯させるか表示ランプ１５を点灯させる色を変えることによって、切替開閉器１０の現在のモードが常時モードであるか非常時モードであるかを表示するためのモード検出・表示手段２１，２２，３１ａ〜３１ｄ，３２ａ〜３２ｄと、切替開閉器１０が非常時モードである状態が所定の監視時間以上継続すると、表示ランプ１５を点滅させるとともに外部へ警報を通知するための警報手段２２，２３1，２３2，２４とを具備する。【選択図】図２
2013230015.tif 000002
【特許請求の範囲】
【請求項１】
ハンドル（１１）を回転させることによって常時モードから非常時モードに切り替えられる切替開閉器（１０）であって、
前記ハンドルの前面の中央部に設けられた表示ランプ（１５）と、
該表示ランプを点灯させるか該表示ランプを点灯させる色を変えることによって、前記切替開閉器の現在のモードが前記常時モードであるか前記非常時モードであるかを表示するためのモード検出・表示手段と、
前記切替開閉器が前記非常時モードである状態が所定の監視時間以上継続すると、前記表示ランプを点滅させるための警報手段と、
を具備することを特徴とする、切替開閉器。
【請求項２】
前記モード検出・表示手段が、
前記ハンドルと回転軸（１２）を介して接続された接点構成部（１３）の常時接点（３１ａ）および非常時接点（３１ｂ，３１ｃ，３１ｄ）が閉じられているか否かを検出するための複数のモード判定用リレー（３２ａ，３２ｂ，３２ｃ，３２ｄ）から入力される接点閉検出信号（Ｓａ〜Ｓｄ）に基づいて前記切替開閉器の現在のモードを検出し、該検出した現在のモードを示す現在モード信号を出力するモード検出部（２１）と、
該モード検出部から入力される前記現在モード信号に基づいて前記表示ランプを点灯制御するランプ制御部（２２）と、
を備えることを特徴とする、請求項１記載の切替開閉器。
【請求項３】
前記警報手段が、
前記モード検出部から入力される前記現在モード信号に基づいてハンドルの戻し忘れや異常発生を検出すると警報信号を出力する監視タイマ部（２３1，２３2）と、
該監視タイマ部から前記警報信号が入力されると前記表示ランプを点滅させる前記ランプ制御部と、
を備えることを特徴とする、請求項２記載の切替開閉器。
【請求項４】
前記警報手段が、前記監視タイマ部から前記警報信号が入力されると外部へ警報を通知する送信部（２４）をさらに備えることを特徴とする、請求項３記載の切替開閉器。
【発明の詳細な説明】
【技術分野】
【０００１】
本発明は、切替開閉器に関し、特に、電気設備の補機や諸機の運転切替スイッチとして使用するのに好適な切替開閉器に関する。
【背景技術】
【０００２】
電力会社では、電気設備の補機や諸機の運転切替スイッチとして切替開閉器を活用している。
たとえば、発電機の冷却水を外部に排出するための２台の排水ポンプ（１号機および２号機）の運転を制御するための排水ポンプ制御盤の切替開閉器（４３ＷＨ）として、図３（ａ），（ｂ）に示すような小型の切替開閉器１１０（菊形切替開閉器など）を使用して、ハンドル１１１を回して切替開閉器１１０の本体内に設けられた接点構成部１１３の接点を回転軸１１２を介して連動させて切り替えることにより、自動交互モード、手動モード、１号先行モードおよび２号先行モードのモード切替制御を行っている。
【０００３】
ここで、自動交互モードとは、２台の排水ポンプ（１号機および２号機）を輪番で運転するモードであり、いずれか一方の排水ポンプに偏った運転による機器の損傷および摩耗をなくすことにより、機器の効率的運転および延命対策としている。したがって、常時には、切替開閉器１１０のハンドル１１１は「自動交互」の位置に切り替えられている。
手動モードとは、２台の排水ポンプ（１号機および２号機）を水位条件に関係なく運転員が任意に運転／停止させるモードであり、１号機または２号機を運転／停止させることにより、排水ポンプの動作試験（排水能力、異常音および動作電流などの確認）を行っている。したがって、排水ポンプの動作試験を行う際には、切替開閉器１１０のハンドル１１１は「自動交互」から「手動」の位置に切り替えられ、排水ポンプの動作試験が終了すると、切替開閉器１１０のハンドル１１１は「手動」から「自動交互」の位置に切り替えられる。
１号先行モードおよび２号先行モードとは、先行機を固定させ、不調機を後続機（バックアップ）として自動運転／停止させるモードである。
たとえば、２号機不調時には、切替開閉器１１０のハンドル１１１は「自動交互」から「１号先行」の位置に切り替えられ、２号機を後続機（バックアップ）として自動運転／停止させ、２号機が修復されると、切替開閉器１１０のハンドル１１１は「１号先行」から「自動交互」の常時位置に切り替えられる。なお、２号機が故障により運転不能の場合には、２号機用の電源ＳＷを切り（運用禁止）とし、１号機単独での運転となる。
一方、１号機不調時には、切替開閉器１１０のハンドル１１１は「自動交互」から「２号先行」の位置に切り替えられ、１号機を後続機（バックアップ）として自動運転／停止させ、１号機が修復されると、切替開閉器１１０のハンドル１１１は「２号先行」から「自動交互」の常時位置に切り替えられる。なお、１号機が故障により運転不能の場合には、１号機用の電源ＳＷを切り（運用禁止）とし、２号機単独での運転となる。
【０００４】
このような切替開閉器１１０のハンドル操作は操作手順を熟知した巡視員や作業員（以下、「巡視員等」と称する。）によって行われているが、点検または作業後に巡視員等によるハンドルの戻し忘れなどがあると、発電機の緊急停止に至るなど大小様々なトラブルの原因となる。
【０００５】
なお、下記の特許文献１には、点検要請機能を備えさせるために、点検手段が操作または終了したときに作動開始して予め定めた時限設定を行う時限回路手段と、時限回路手段が時限設定した定時間の経過時に警備処理機能の点検要請を表示する表示手段とを具備した警報装置が開示されている。
また、下記の特許文献２には、充電操作忘れを防止するために、充電電流を検出して充電表示灯ＬＥＤを点灯させる充電電流検出部と、充電電圧の上昇を検出してタイマを動作させるとともにタイマ動作表示灯ＬＥＤを点灯させ、所定時間の計数時通電制御部を制御して通電を停止させるとともにタイマ動作表示灯ＬＥＤを点滅させるタイマ回路とを備えた充電操作警報装置が開示されている。
【先行技術文献】
【特許文献】
【０００６】
【特許文献１】特開昭６１−０３９１９６号公報
【特許文献２】特開平０５−３０８７３２号公報
【発明の概要】
【発明が解決しようとする課題】
【０００７】
しかしながら、上述した従来の切替開閉器１１０には、以下に示すような問題があった。
（１）巡視員等は切替開閉器１１０の本体の前面（ハンドル１１１側の面）に取り付けられた文字盤１１４に表示された「自動交互」、「手動」、「１号先行」および「２号先行」の文字の該当のものにマーク１１１ａ（ハンドル刻印マーク）を合わせることによりハンドル１１１の切替を行うだけであるため、ハンドル１１１の切替位置が分かり難い。
（２）巡視員等はハンドル１１１の切替による健全性が目視では分からない。
（３）ハンドル１１１の切替時の捻回不足により接点不良が発生するとトラブルの原因に発展する。
（４）巡視員等が切替開閉器１１０から少し離れると切替状態を認識できない。
【０００８】
また、上記の特許文献１に開示された警報装置および上記の特許文献２に開示された充電操作警報装置では、外部システムにより監視および制御するものであるために設備対費用面で制約があり、発変電所の主機の監視および制御などには適用可能と思われるが、電気設備の補機や諸機などの単純な制御に適用するには実現性に欠けるという問題がある。
【０００９】
本発明の目的は、ハンドルの戻し忘れなどを防止することができる切替開閉器を提供することにある。
【課題を解決するための手段】
【００１０】
本発明の切替開閉器は、ハンドル（１１）を回転させることによって常時モードから非常時モードに切り替えられる切替開閉器（１０）であって、前記ハンドルの前面の中央部に設けられた表示ランプ（１５）と、該表示ランプを点灯させるか該表示ランプを点灯させる色を変えることによって、前記切替開閉器の現在のモードが前記常時モードであるか前記非常時モードであるかを表示するためのモード検出・表示手段と、前記切替開閉器が前記非常時モードである状態が所定の監視時間以上継続すると、前記表示ランプを点滅させるための警報手段とを具備することを特徴とする。
ここで、  前記モード検出・表示手段が、前記ハンドルと回転軸（１２）を介して接続された接点構成部（１３）の常時接点（３１ａ）および非常時接点（３１ｂ，３１ｃ，３１ｄ）が閉じられているか否かを検出するための複数のモード判定用リレー（３２ａ，３２ｂ，３２ｃ，３２ｄ）から入力される接点閉検出信号（Ｓａ〜Ｓｄ）に基づいて前記切替開閉器の現在のモードを検出し、該検出した現在のモードを示す現在モード信号を出力するモード検出部（２１）と、該モード検出部から入力される前記現在モード信号に基づいて前記表示ランプを点灯制御するランプ制御部（２２）とを備えてもよい。
前記警報手段が、前記モード検出部から入力される前記現在モード信号に基づいてハンドルの戻し忘れや異常発生を検出すると警報信号を出力する監視タイマ部（２３1，２３2）と、該監視タイマ部から前記警報信号が入力されると前記表示ランプを点滅させる前記ランプ制御部とを備えてもよい。
前記警報手段が、前記監視タイマ部から前記警報信号が入力されると外部へ警報を通知する送信部（２４）をさらに備えてもよい。
【発明の効果】
【００１１】
本発明の切替開閉器は、以下に示す効果を奏する。
（１）ハンドルの前面の中央部に設けられた表示ランプを点灯させるか点灯させる色を変えることによって切替開閉器の現在のモードが常時モードであるか非常時モードであるかを表示するとともに、切替開閉器が非常時モードである状態が所定の監視時間以上継続すると表示ランプを点滅させることにより、巡視員等は表示ランプを見ればハンドルの戻し忘れなどが発生したか否かを確認することができるため、ハンドルの戻し忘れや操作漏れなどを防止することができるとともに、巡視員等によるハンドル操作の正確性および確実性を向上させることができる。
（２）巡視員等によるヒューマンエラーを未然に防止することができる。
（３）巡視点検の精度を向上させることができるとともに、お客さまへの供給信頼度を向上させることができる（副次効果）。
【図面の簡単な説明】
【００１２】
【図１】本発明の一実施例による切替開閉器１０のハンドル１１の構成について説明するための図であり、（ａ）は常時のハンドル１１の状態を示す切替開閉器１０の正面図であり、（ｂ）は手動切替時のハンドル１１の状態を示す切替開閉器１０の正面図であり、（ｃ）は１号先行切替時のハンドル１１の状態を示す切替開閉器１０の正面図であり、（ｄ）は２号先行切替時のハンドル１１の状態を示す切替開閉器１０の正面図である。
【図２】図１に示した切替開閉器１０のハンドル１１以外の構成について説明するための図である。
【図３】従来の切替開閉器１１０の構成について説明するための図であり、（ａ）は切替開閉器１１０の正面図であり、（ｂ）は切替開閉器１１０の本体を断面で示した側面図である。
【発明を実施するための形態】
【００１３】
上記の目的を、ハンドルの前面の中央部に設けられた表示ランプを点灯させるか点灯させる色を変えることによって切替開閉器の現在のモードが常時モードであるか非常時モードであるかを表示するとともに、切替開閉器が非常時モードである状態が所定の監視時間以上継続すると表示ランプを点滅させることにより実現した。
【実施例１】
【００１４】
以下、本発明の切替開閉器の実施例について図面を参照して説明する。
本発明の切替開閉器は、以下に示す点で、図３に示した従来の切替開閉器１１０と異なる。
（１）ハンドルの前面の中央部に設けた表示ランプによって切替開閉器の現在のモードを巡視員等に認識させるためのモード表示機能を備える。
（２）切替開閉器が自動交互モード（常時モード）以外の手動モード、１号先行モードおよび２号先行モード（非常時モード）に設定されている場合に巡視員等の戻し忘れなどを防止するための監視タイマ機能を備える。
（３）監視機能ランクを設定して戻し忘れや異常発生時に表示ランプを点滅させるとともに外部（遠方監視制御所、巡視員等の携帯電話および巡視支援コンピュータなど）へ警報を通知するための警報通知機能を備える。
【００１５】
そのため、本発明の一実施例による切替開閉器１０は、図１（ａ）〜（ｄ）および図２に示すように、ハンドル１１の前面の中央部に設けられた表示ランプ１５と、モード検出部２１と、ランプ制御部２２と、第１および第２の監視タイマ部２３1，２３2と、送信部２４と、モード判定用自動交互、手動、１号先行および２号先行接点３１ａ，３１ｂ，３１ｃ，３１ｄと、第１乃至第４のモード判定用リレー３２ａ，３２ｂ，３２ｃ，３２ｄとを具備する。
【００１６】
ここで、モード判定用自動交互、手動、１号先行および２号先行接点３１ａ，３１ｂ，３１ｃ，３１ｄは、自動交互、手動接点、１号先行および２号先行接点１３ａ，１３ｂ，１３ｃ，１３ｄと連動してそれぞれ閉じるように、接点構成部１３に増設されたものである。
すなわち、自動交互モード時には自動交互接点１３ａおよびモード判定用自動交互接点３１ａのみが閉じ、手動モード時には手動接点１３ｂおよびモード判定用手動接点３１ｂのみが閉じ、１号先行モード時には１号先行接点１３ｃおよびモード判定用１号先行接点３１ｃのみが閉じ、２号先行モード時には２号先行接点１３ｄおよびモード判定用２号先行接点３１ｄのみが閉じるようにされている。
【００１７】
第１乃至第４のモード判定用リレー３２ａ，３２ｂ，３２ｃ，３２ｄは、モード判定用自動交互、手動、１号先行および２号先行接点３１ａ，３１ｂ，３１ｃ，３１ｄとＡＣ−２００Ｖ線との間にそれぞれ設けられており、モード判定用自動交互、手動、１号先行および２号先行接点３１ａ，３１ｂ，３１ｃ，３１ｄがそれぞれ閉じられると、電流が第１乃至第４のモード判定用リレー３２ａ，３２ｂ，３２ｃ，３２ｄにそれぞれ流れるため、第１乃至第４の接点閉検出信号Ｓａ〜Ｓｄをモード検出部２１にそれぞれ出力し続ける。
【００１８】
モード検出部２１は、第１乃至第４のモード判定用リレー３２ａ，３２ｂ，３２ｃ，３２ｄからそれぞれ入力される第１乃至第４の接点閉検出信号Ｓａ〜Ｓｄに基づいて切替開閉器１０の現在のモードが自動交互モード、手動モード、１号先行モードおよび２号先行モードのいずれであるかを判定し、判定結果を示す現在モード信号をランプ制御部２２と第１および第２の監視タイマ部２３1，２３2とに出力するためのものである。
すなわち、モード検出部２１は、第１のモード判定用リレー３２ａから第１の接点閉検出信号Ｓａが入力されると、「切替開閉器１０の現在のモードが自動交互モードである」と判定し、第２のモード判定用リレー３２ｂから第２の接点閉検出信号Ｓｂが入力されると、「切替開閉器１０の現在のモードが手動モードである」と判定し、第３のモード判定用リレー３２ｃから第３の接点閉検出信号Ｓｃが入力されると、「切替開閉器１０の現在のモードが１号先行モードである」と判定し、第４のモード判定用リレー３２ｄから第４の接点閉検出信号Ｓｄが入力されると、「切替開閉器１０の現在のモードが２号先行モードである」と判定して、この判定結果を示す現在モード信号をランプ制御部２２と第１および第２の監視タイマ部２３1，２３2とに出力する。
【００１９】
ランプ制御部２２は、モード検出部２１から入力される現在モード信号に基づいて表示ランプ１５を点灯制御するとともに、第１および第２の監視タイマ部２３1，２３2から入力される第１および第２の警報信号に基づいて表示ランプ１５を点滅制御するためのものである。
すなわち、ランプ制御部２２は、モード検出部２１からの現在モード信号が「切替開閉器１０の現在のモードが自動交互モードである」旨を示している場合には、表示ランプ１５を消灯または緑色に点灯させる。
また、ランプ制御部２２は、モード検出部２１からの現在モード信号が「切替開閉器１０の現在のモードが手動モードである」旨を示している場合には、表示ランプ１５を赤色に点灯させて、切替開閉器１０が禁止モード（レベル２）であることを表示させ、モード検出部２１からの現在モード信号が「切替開閉器１０の現在のモードが１号先行モードである」旨を示している場合または「切替開閉器１０の現在のモードが２号先行モードである」旨を示している場合には、表示ランプ１５を黄色に点灯させて、切替開閉器１０がバックアップ的な運転モード（レベル１）であることを表示させる。
さらに、ランプ制御部２２は、表示ランプ１５が赤色に点灯されているときに第１の警報信号が第１の監視タイマ部２３1から入力されると、表示ランプ１５を赤色で点滅させるとともに、表示ランプ１５が黄色に点灯されているときに第２の警報信号が第２の監視タイマ部２３2から入力されると、表示ランプ１５を黄色で点滅させる。
【００２０】
表示ランプ１５とランプ制御部２２とは、切替開閉器１０の回転軸１２の中心部に形成された空間に接続線を通すことによって、この接続線を介して電気的に接続されている。
【００２１】
第１の監視タイマ部２３1は、切替開閉器１０の現在のモードが手動モードに切り替えられたのちに戻し忘れや異常発生を検出すると、第１の警報信号をランプ制御部２２および送信部２４に出力するためのものである。
すなわち、第１の監視タイマ部２３1は、切替開閉器１０が手動モードに切り替えられたのち所定の第１の監視時間以上継続すると、第１の警報信号をランプ制御部２２および送信部２４に出力する。
これにより、たとえば、巡視員等がハンドル１１を「自動交互」から「手動」に切り替えたまま長時間放置した場合には、第１の監視タイマ部２３1は、モード検出部２１からの現在モード信号が「切替開閉器１０の現在のモードが自動交互モードである」旨を示している状態から「切替開閉器１０の現在のモードが手動モードである」旨を示している状態に切り替わった時点からカウントを開始したのち第１の監視時間以上カウントし続けるため、巡視員等に戻し忘れを通知するための第１の警報信号をランプ制御部２２および送信部２４に出力する。その結果、第１の警報信号が第１の監視タイマ部２３1から入力されるとランプ制御部２２は表示ランプ１５を点滅させるため、表示ランプ１５が赤色で点滅するので、巡視員等はハンドル１１の「手動」から「自動交互」への戻し忘れを容易に認識することができる。
【００２２】
第２の監視タイマ部２３2は、切替開閉器１０の現在のモードが自動交互モード以外のモード（非常時モード）に切り替えられたのちに戻し忘れや異常発生を検出すると、第２の警報信号をランプ制御部２２および送信部２４に出力するためのものである。
すなわち、第２の監視タイマ部２３2は、切替開閉器１０が自動交互モード以外のモードである時間が所定の第２の監視時間以上継続すると、第２の警報信号をランプ制御部２２および送信部２４に出力する。
これにより、たとえば、巡視員等がハンドル１１を「自動交互」から「手動」に切り替えて現地動作状況を確認したのちハンドル１１を「１号先行」に誤切替したまま長時間放置した場合には、第２の監視タイマ部２３2は、モード検出部２１からの現在モード信号が「切替開閉器１０の現在のモードが手動モードである」旨を示している状態から「切替開閉器１０の現在のモードが１号先行モードである」旨を示している状態に切り替わった時点からカウントを開始したのち第２の監視時間以上カウントし続けるため、誤切替を通知するための第２の警報信号をランプ制御部２２および送信部２４に出力する。その結果、第２の警報信号が第２の監視タイマ部２３3から入力されるとランプ制御部２２は表示ランプ１５を点滅させるため、表示ランプ１５は黄色で点滅するので、巡視員等はハンドル１１の「手動」から「１号先行」への誤切替を容易に認識することができる。
【００２３】
第１および第２の監視タイマ部１３1，２３2は、ハンドル１１が「自動交互」の位置に戻されるとリセットされる。
【００２４】
送信部２４は、第１および第２の監視タイマ部２３1，２３2から第１および第２の警報信号が入力されると遠方監視制御所へ警報を通知するためのものである。
すなわち、送信部２４は、第１の警報信号が第１の監視タイマ部２３1から入力されると、「ハンドル１１の「手動」から「自動交互」への戻し忘れが発生した」旨を示す警報通知信号を遠方監視制御所に送信する。その結果、遠方監視制御所の制御員は、切替開閉器１０においてハンドル１１の「手動」から「自動交互」への戻し忘れが発生したことを認識することができる。
また、送信部２４は、第２の警報信号が第２の監視タイマ部２３2から入力されると、「ハンドル１１の「手動」から「１号先行」または「２号先行」への誤切替が発生した」旨を示す警報通知信号を遠方監視制御所に送信する。その結果、遠方監視制御所の制御員は、切替開閉器１０においてハンドル１１の「手動」から「１号先行」または「２号先行」への誤切替が発生したことを認識することができる。
【００２５】
次に、排水ポンプを起動および停止させて電流値および吐出量などを測定することにより排水ポンプ切替試験を行うときの切替開閉器１０の動作について説明する。
この場合、１名の作業員は、排水ポンプ制御盤に表示される電流値のチェック（通常値との比較や電流値の安定性などのチェック）および電磁接触器の状態、異音発生の有無並びに異臭発生の有無などを確認し、他の１名の作業員は、排水槽現地で排水水位や吐出量の確認および運転時／停止時のチェッキバルブの動作状況や異音発生の有無などを確認する。
また、排水ポンプ切替試験は、１台の排水ポンプにつき５分程度で終わるため、１号機および２号機の２台について切替試験を行うことから第１の監視時間は１２分に設定し、一方、第２の監視時間は１５分に設定した場合を例として説明する。
【００２６】
排水ポンプ切替試験開始前には、切替開閉器１０のハンドル１１は「自動交互」に切り替えられているため、自動交互接点１３ａおよびモード判定用自動交互接点３１ａのみが閉じられているので、モード検出部２１には第１のモード判定用リレー３２ａから第１の接点閉検出信号Ｓａが入力されている。
したがって、モード検出部２１は、「切替開閉器１０の現在のモードが自動交互モードである」と判定して、この判定結果を示す現在モード信号をランプ制御部２２並びに第１および第２の監視タイマ部２３1，２３2に出力する。
その結果、表示ランプ１５はランプ制御部２２によって消灯または緑色に点灯されている。
【００２７】
排水ポンプ切替試験を開始する際には、切替開閉器１０のハンドル１１が排水ポンプ制御盤側の作業員によって「自動交互」から「手動」に切り替えられるため、手動接点１３ｂおよびモード判定用手動接点３１ｂのみが閉じられるので、モード検出部２１には第２のモード判定用リレー３２ｂから第２の接点閉検出信号Ｓｂが入力される。
したがって、モード検出部２１は、「切替開閉器１０の現在のモードが手動モードである」と判定して、この判定結果を示す現在モード信号をランプ制御部２２並びに第１および第２の監視タイマ部２３1，２３2に出力する。
その結果、表示ランプ１５がランプ制御部２２によって赤色に点灯されるとともに、第１および第２の監視タイマ部２３1，２３2がカウントを開始する。
【００２８】
このとき、排水ポンプ制御盤側の作業員が誤って切替開閉器１０のハンドル１１を「自動交互」から「１号先行」または「２号先行」に切り替えた場合には、１号先行接点１３ｃおよびモード判定用１号先行接点３１ｃのみが閉じられるか２号先行接点１３ｄおよびモード判定用２号先行接点３１ｄのみが閉じられるので、モード検出部２１には第３のモード判定用リレー３２ｃから第３の接点閉検出信号Ｓｃが入力されるか第４のモード判定用リレー３２ｄから第４の接点閉検出信号Ｓｄが入力される。
したがって、モード検出部２１は、「切替開閉器１０の現在のモードが１号先行モードである」と判定するか「切替開閉器１０の現在のモードが２号先行モードである」と判定して、この判定結果を示す現在モード信号をランプ制御部２２並びに第１および第２の監視タイマ部２３1，２３2に出力する。
その結果、表示ランプ１５がランプ制御部２２によって黄色に点灯されるので、排水ポンプ制御盤側の作業員は、誤って切替開閉器１０のハンドル１１を「自動交互」から「１号先行」または「２号先行」に切り替えたことを即座に認識することができる。
また、排水ポンプ制御盤側の作業員が誤って切替開閉器１０のハンドル１１を「自動交互」から「１号先行」または「２号先行」に切り替えたことを即座に認識することができなくても、切替後１５分が経過すると、第２の監視タイマ２３2から第２の警報信号がランプ制御部２２に出力されるため、表示ランプ１５がランプ制御部２２によって黄色で点滅されるので、誤ってハンドル１１を「自動交互」から「１号先行」または「２号先行」に切り替えたことを排水ポンプ制御盤側の作業員に気付かせることができる。
【００２９】
その後、排水ポンプ制御盤側の作業員は、手動接点１３ａと接続された１号機操作スイッチ（３−８８ＷＨ１）のハンドルを「中立」から「運転」に切り替えて１号機の切替試験を行ったのち、１号機操作スイッチのハンドルを「運転」から「中立」に切り替える。
続いて、排水ポンプ制御盤側の作業員は、手動接点１３ａと接続された２号機操作スイッチ（３−８８ＷＨ２）のハンドルを「中立」から「運転」に切り替えて２号機の切替試験を行ったのち、２号機操作スイッチのハンドルを「運転」から「中立」に切り替える。
【００３０】
その後、排水ポンプ制御盤側の作業員は、切替開閉器１０のハンドル１１を「手動」から「自動交互」に切り替えて常時運転状態に戻す。
このとき、排水ポンプ制御盤側の作業員がハンドル１１を「手動」から「自動交互」に切り替え忘れても、ハンドル１１の「手動」への切替後１２分が経過すると、第１の監視タイマ２３1から第１の警報信号がランプ制御部２２に出力されるため、表示ランプ１５がランプ制御部２２によって赤色で点滅されるので、ハンドル１１を「手動」から「自動交互」に切り替え忘れたことを排水ポンプ制御盤側の作業員に気付かせることができる。
【００３１】
以上の説明では、切替開閉器１０が禁止モード（レベル２）とバックアップ的な運転モード（レベル１）とで監視時間を異ならせたが、監視時間を同じとしてもよい。この場合には、図２に示した第１および第２の監視タイマ部２３1，２３2のうちの一方を備えればよい。
【００３２】
また、１つの常時モード（自動交互モード）と３つの非常時モード（手動モード、１号先行モードおよび２号先行モード）とを備えた切替開閉器１０について説明したが、１つの常時モードと１つ以上の非常時モードとを備えた切替開閉器についても本発明を適用することができる。
たとえば、上述した１号機操作スイッチおよび２号機操作スイッチでは、ハンドルが「中立」に切り替えられている状態を「常時モード」とし、ハンドルが「運転」に切り替えられている状態を「非常時モード」とすることにより、本発明を適用することができる。
【００３３】
さらに、切替開閉器のモードを認識させるＩＣ基盤を活用して、図２に示したモード検出部２１とランプ制御部２２と第１および第２の監視タイマ部２３1，２３2と送信部２４と第１乃至第４のモード判定用リレー３２ａ，３２ｂ，３２ｃ，３２ｄとの機能を有する回路をＩＣ基盤で構成することにより、切替開閉器１０のハンドル部に内蔵できるようにしてもよい。
【符号の説明】
【００３４】
１０，１１０  切替開閉器
１１，１１１  ハンドル
１１ａ，１１１ａ  マーク
１２，１１２  回転軸
１３，１１３  接点構成部
１３ａ〜１３ｄ  自動交互、手動、１号先行および２号先行接点
１４，１１４  文字盤
１５  表示ランプ
２１  モード検出部
２２  ランプ制御部
２３1，２３2  第１および第２の監視タイマ部
２４  送信部
３１ａ，３１ｂ，３１ｃ，３１ｄ  モード判定用自動交互、手動、１号先行および２号先行接点
３２ａ，３２ｂ，３２ｃ，３２ｄ  第１乃至第４のモード判定用リレー
Ｓａ〜Ｓｄ  第１乃至第４の接点閉検出信号
【図１】
2013230015.tif 000003
【図２】
2013230015.tif 000004
【図３】
2013230015.tif 000005